【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  （イ）円すい形の下部部分と、（ロ）上部フランジ、下部フランジ及びこれ等の両フランジ間に形成したみぞを持つ円筒形の上部部分とをそれぞれ備えた複数個のカップを保持し分与するカップ保持分与装置において、
少なくとも最下部のカップと、この最下部のカップの上方に位置する最下部の隣のカップとを持つ積重ねにして前記各カップを保持するのに適当な内部と下端部とを持つ供給管と、
上側部、下側部及び内部に形成した穴を持つ円板と、前記円板の上側部に取付けた第１のリーフと、前記円板の下側部に取付けた第２のリーフとを備え、前記供給管の下端部に隣接して位置させた出口と、
を包含し、
前記第２のリーフが前記最下部のカップの下部フランジに係合する第１の位置と、前記第１のリーフが前記最下部の隣のカップのみぞ内に挿入され、前記最下部の隣のカップの上部フランジに係合し、前記第２のリーフが前記最下部のカップの下部フランジにもはや係合しないことにより前記最下部のカップが前記円板に形成した穴を通って落下するようにした第２の位置との間で前記出口が移動できるようにして成る、
カップ保持分与装置。
【請求項２】  さらに支持体を備え、前記供給管を前記支持体に固定し、前記出口を前記支持体にばねにより移動できるように取付けた請求項１のカップ保持分与装置。
【請求項３】  前記出口を前記第１の位置と前記第２の位置との間で移動させる手段をさらに備えた請求項１のカップ保持分与装置。
【請求項４】  複数の試料保持位置と少なくとも１個の作動ピンとを持つ試料シャトルをさらに備え、前記出口を前記第１の位置と前記第２の位置との間で第１の方向に可動にし、前記試料シャトルを前記第１の方向に可動にし、前記少なくとも１個の作動ピンが前記出口に係合し、この出口を前記第１の位置から前記第２の位置に移動させるようにした請求項１のカップ保持分与装置。
【請求項５】  前記試料保持位置の１つを、前記出口が前記第２の位置に動かされたときに、前記供給管のすぐ下側に位置させた請求項４のカップ保持分与装置。
【請求項６】  前記供給管のすぐ下側に位置させた前記試料保持位置に、円筒形の挿入体を設け、カップが前記円板に形成した前記穴を経て落下するときに、前記カップの前記円すい形の下部部分を前記円筒形の挿入体により案内するようにした請求項５のカップ保持分与装置。
【請求項７】  前記円筒形の挿入体が前記円筒形の上部部分に隣接する位置で測った前記円すい形の下部部分の最大の直径よりわずかに大きい内径を持つようにした請求項６のカップ保持分与装置。
【請求項８】  前記カップをその円すい形の下部部分を先にして前記供給管内に確実に挿入する手段をさらに備えた請求項１のカップ保持分与装置。
【請求項９】  前記供給管にさらに、この供給管の内部に突出する山形部分及びカップ止めを持つばねを設け、前記山形部分及びカップ止めが、前記各カップがその円すい形の下部部分を先にして前記供給管内に挿入されるときに、前記内部から押出され、前記各カップを前記ばねを過ぎて滑動させ、前記山形部分及びカップ止めが、前記各カップがその円筒形の上部部分を先にして前記供給管内に挿入されるときに前記内部に留まり、前記各カップが前記ばねを過ぎて滑動しないようにした請求項１のカップ保持分与装置。
【請求項１０】  前記第２のリーフが或る厚さを持ち、この厚さを、前記第２のリーフが前記みぞ内にはまらないように、選定した請求項１のカップ保持分与装置。
【請求項１１】  温度制御装置、温度センサ、加熱器及び絶縁したヒートシンクを持つ定温器をさらに備え、この定温器が、Ｎ個所のカップ保持位置と、これ等の各カップ保持位置の上方に取付けたＮ−１個までの絶縁カバーとを持つようにした請求項１のカップ保持分与装置。
【請求項１２】  前記各カップ保持位置に、前記各カップの前記円すい形の下部部分を受入れるのに適する円すい形の下部部分と、前記各カップの前記円筒形の上部部分の直径より大きい直径を持つ円筒形上部部分とを設けた請求項１１のカップ保持分与装置。
【請求項１３】  前記各カップを、前記各カップ保持位置に挿入したときに、前記各カップの前記円すい形の下部部分が、前記各カップ保持位置の前記円すい形の下部部分に熱的に接触するようにした請求項１２のカップ保持分与装置。
【請求項１４】  前記供給管がＣ字形横断面を備えた請求項１のカップ保持分与装置。
【請求項１５】  前記供給管がさらに、回転台に取付けた少なくとも２本の供給管を備えた請求項１のカップ保持分与装置。
【請求項１６】  前記各供給管に下端部を設け、前記回転台を回転して前記各供給管の前記下端部の選択した１つを前記出口の上方に選択的に位置させることができるようにした請求項１５のカップ保持分与装置。
【請求項１７】  前記各カップの前記下部フランジに下面を設け、前記各カップの前記上部フランジに上面を設け、前記下面及び上面の間の距離を複数個の前記カップが１．５対１ないし６対１の比率で相互に重なり合うことができるように選定した請求項１のカップ保持分与装置。
【請求項１８】  前記各カップの前記下部フランジに下面を設け、前記各カップの前記上部フランジに上面を設け、前記下面及び上面の間の距離を２ｍｍないし２０ｍｍにすることにより、前記カップが前記供給管内に入れられたときに、倒れないようにした請求項１のカップ保持分与装置。
【請求項１９】  自動臨床化学分析システム用のカップ取扱いサブシステムにおいて、
（イ）円すい形の下部部分と、（ロ）上部フランジ、下部フランジ及びこれ等の両フランジ間に形成したみぞを持つ円筒形の上部部分とをそれぞれ備えた複数個のカップと、
少なくとも最下部のカップと、この最下部のカップの上方に位置する最下部の隣のカップとを持つ積重ねにして前記カップを保持するのに適当な内部と下端部とを持つ供給管と、
上部側、下部側及び内部に形成した穴を持つ円板と、前記円板上部側に取付けた第１のリーフと、前記円板下部側に取付けた第２のリーフとを備え、前記の供給管の下端部に隣接して位置させた出口と、
低温器と、
を包含し、
前記第２のリーフが前記最下部のカップの下部フランジに係合する第１の位置と、前記第１のリーフが前記最下部の隣のカップのみぞ内に挿入され、前記最下部の隣のカップの上部フランジに係合し、前記第２のリーフが前記最下部のカップの下部フランジにもはや係合しないことにより、前記最下部のカップが前記円板に形成した穴を通って落下するようにした第２の位置との間で前記出口が移動できるようにして成る、
カップ取扱いサブシステム。
【請求項２０】  前記定温器に、温度制御装置、温度センサ、加熱器及び絶縁したヒートシンクを設けた請求項１９のカップ取扱いサブシステム。
【請求項２１】  前記定温器に、Ｎ個所のカップ保持位置とこれ等のカップ保持位置の上方に取付けたＮ−１個までの絶縁カバーとを設けた請求項２０のカップ取扱いサブシステム。
【請求項２２】  前記各カップ保持位置に、前記各カップの前記円すい形の下部部分を受入れるのに適する円すい形の下部部分と、前記各カップの前記円筒形上部部分の直径より大きい直径を持つ円筒形の上部部分とを設けた請求項２１のカップ取扱いサブシステム。
【請求項２３】  前記各カップを、前記各カップ保持位置に挿入したときに、前記各カップの前記円すい形の下部部分が、前記各カップ保持位置の前記円すい形の下部部分に熱的に接触するようにした請求項２２のカップ取扱いサブシステム。
【請求項２４】  さらに支持体を備え、この支持体に前記供給管を固定し、前記円板を前記支持体にばねにより可動なように取付けた請求項１９のカップ取扱いサブシステム。
【請求項２５】  前記円板を前記第１の位置及び第２の位置の間で動かす手段をさらに備えた請求項１９のカップ取扱いサブシステム。
【請求項２６】  複数の試料保持位置と少なくとも１個の作動ピンとを持つ試料シャトルをさらに備え、前記出口を前記第１の位置と前記第２の位置との間で第１の方向に可動にし、前記試料シャトルを前記第１の方向に可動にし、前記少なくとも１個の作動ピンが前記出口に係合し、前記円板を前記第１の位置から前記第２の位置に移動させるようにした請求項１９のカップ取扱いサブシステム。
【請求項２７】  前記試料保持位置の１つを、前記出口が前記第２の位置に動かされたときに、前記供給管のすぐ下側に位置させた請求項２６のカップ取扱いサブシステム。
【請求項２８】  前記供給管のすぐ下側に位置させた前記試料保持位置に、円筒形の挿入体を設け、カップが前記円板に形成した前記穴を経て落下するときに、前記カップの前記円すい形の下部部分を前記円筒形の挿入体により案内するようにした請求項２７のカップ取扱いサブシステム。
【請求項２９】  前記円筒形の挿入体が前記円筒形の上部部分に隣接する位置で測った前記円すい形の下部部分の最大の直径よりわずかに大きい内径を持つようにした請求項２８のカップ取扱いサブシステム。
【請求項３０】  前記供給管にさらに、この供給管の内部に突出する山形部分及びカップ止めを持つばねを設け、前記山形部分及びカップ止めが、前記各カップがその円すい形の下部部分を先にして前記供給管内に挿入されるときに、前記内部から押出され前記各カップを前記ばねを過ぎて滑動させ、前記山形部分及びカップ止めが、前記各カップが、その円筒形の上部部分を先にして前記供給管内に挿入されるときに前記内部に留まり、前記各カップが前記ばねを過ぎて滑動しないようにした請求項１９のカップ取扱いサブシステム。
【請求項３１】  前記第２リーフが或る厚さを持ち、この厚さを前記第２リーフが前記みぞ内にはまらないように選定した請求項１９のカップ取扱いサブシステム。
【請求項３２】  前記供給管がさらに、回転台に取付けた少なくとも２本の供給管を備えた請求項１９のカップ取扱いサブシステム。
【請求項３３】  前記各供給管に下端部を設け、前記回転台を回転して前記各供給管の前記下端部の選択した１つを前記出口の上方に選択的に位置させることができるようにした請求項３２のカップ取扱いサブシステム。
【請求項３４】  前記各カップの前記下部フランジに下面を設け、前記各カップの前記上部フランジに上面を設け、前記下面及び上面の間の距離を複数個の前記カップが１．５対１ないし６対１の比率で相互に重なり合うことができるように選定した請求項１９のカップ取扱いサブシステム。
【請求項３５】  前記各カップの前記下部フランジに下面を設け、前記各カップの前記上部フランジに上面を設け、前記の下面及び上面の間の距離を２ｍｍないし２０ｍｍにすることにより、前記カップが前記供給管内に入れられたときに、倒れないようにした請求項１９のカップ取扱いサブシステム。
【請求項３６】  前記供給管内のカップの総数が所定のレベル以下に落下したときを検出する手段をさらに備えた請求項１のカップ保持分与装置。
【請求項３７】  前記供給管内のカップの総数が所定のレベル以下に落下したときを検出する手段をさらに備えた請求項１９のカップ取扱いサブシステム。